(57)【特許請求の範囲】
【請求項１】
撮影時に被写体に照明光を照射する照明方法において、前記撮影は基準同期信号に同期して撮影し、撮影された被写体像の取り込みから次の被写体像の取り込みの間に前記照明光を照射することを特徴とする照明方法。
【請求項２】
撮影時に被写体に照明光を照射する照明方法において、前記撮影は基準同期信号に同期して撮影し、前記基準同期信号に基づいて撮影期間を除く期間に前記照射光を照射することを特徴とする照明方法。
【請求項３】
撮影時に被写体に照明光を照射する照明装置において、前記撮影は基準同期信号に同期して撮影し、撮影された被写体像の取り込みから次の被写体像の取り込みの間に前記照明光を照射する手段を設けたことを特徴とする照明装置。
【請求項４】
撮影時に被写体に照明光を照射する照明装置において、前記撮影は基準同期信号に同期して撮影し、前記基準同期信号と前記撮影の撮影期間とに基づいて、前記撮影期間を除く期間に照射光を照射する手段を設けたことを特徴とする照明装置。
【請求項５】
請求項３もしくは４に記載の照明装置において、前記撮影は１フィールド期間を撮影期間と非撮影期間とに分けて行われることを特徴とする照明装置。
【請求項６】
撮影時に被写体となる演者に対する指示を撮影範囲内の撮影対象に対して投影することにより前記演者に対して表示する表示方法において、前記撮影は基準同期信号に同期して撮影し、撮影された被写体像の取り込みから次の被写体像の取り込みの間に前記指示を表示することを特徴とする表示方法。
【請求項７】
撮影時に被写体となる演者に対する指示を撮影範囲内の撮影対象に対して投影することにより前記演者に対して表示する表示方法において、前記撮影は基準同期信号に同期して撮影し、前記基準同期信号に基づいて撮影期間を除く期間に前記指示を表示することを特徴とする表示方法。
【請求項８】
撮影時に被写体となる演者に対する指示を撮影範囲内の撮影対象に対して投影することにより前記演者に対して表示する表示装置において、前記撮影は基準同期信号に同期して撮影し、撮影された被写体像の取り込みから次の被写体像の取り込みの間に前記指示を表示する手段を設けたことを特徴とする表示装置。
【請求項９】
撮影時に被写体となる演者に対する指示を撮影範囲内の撮影対象に対して投影することにより前記演者に対して表示する表示装置において、前記撮影は基準同期信号に同期して撮影し、前記基準同期信号に基づいて撮影期間を除く期間に前記指示を表示する手段を設けたことを特徴とする表示装置。
【請求項１０】
基準同期信号に同期して被写体像を撮影する撮影手段と、撮影時に前記被写体を照明する照明手段とを有する撮影システムにおいて、前記被写体像の取り込みから次の被写体像の取り込みの間に照明光を照射する間欠照明手段を設けたことを特徴とする撮影システム。
【請求項１１】
基準同期信号に同期して被写体像を撮影する撮影手段と、撮影時に前記被写体を照明する照明手段とを有する撮影システムにおいて、前記基準同期信号と前記撮影手段の撮影期間とに基づいて、前記撮影期間を除く期間に照射光を照射する間欠照明手段を備えることを特徴とする撮影システム。
【発明の詳細な説明】
【０００１】
【発明の属する技術分野】
本発明は、撮影システムに関し、特に、テレビジョン番組制作時や映像制作時における出演者への情報表示を行う撮影補助装置に適用して有効な技術に関するものである。
【０００２】
【従来の技術】
従来、テレビスタジオなどの撮影現場では、各出演者にそれぞれが立つ位置を指示するために、予め床にテープなどのマーカーを設置するなどしておき、各出出演者は床面に貼られたマーカーを目安としてそれぞれの立ち位置に移動していた。
【０００３】
しかしながら、出演者への立ち位置を指示するために床面にテープなどのマーカーを設置する方式では、マーカーそのものがテレビカメラに映ってしまうという問題があった。また、この方式では、複数のマーカーが存在した場合、出演者が立ち位置を見誤ったり、暗い状況下ではマーカーそのものが確認できないという問題があった。そして、マーカーをテープなどを用いて設置することにより、位置の変更が難しく、セットを汚したり、傷つけてしまうということが懸念されていた。
【０００４】
この問題を解決する方法として、照明光などによる非接触型のマーカーを情報表示媒体とする方式が切望されていた。このような方式としては、例えば、映画カメラのようにフィルムを使用したカメラでの撮影技術としては、フィルムカメラの未露光時間を使用した位置表示システムがあった。この位置表示システムでは、レーザー装置から間欠レーザーをフィルムカメラの未露光時間以内で照射し、このレーザー光の照射位置をマーカー位置とすることにより、出演者の立ち位置を指示する方式があった。
【０００５】
【発明が解決しようとする課題】
本発明者は、前記従来技術を検討した結果、以下の問題点を見いだした。
従来のフィルムカメラの未露光時間で間欠レーザーを照射する方式では、マーカーとなり位置を示すレーザー光の照射範囲が「点」となるので、机の上などの狭い範囲での位置表示は可能であったが、テレビスタジオなどの床面などの広い範囲への照射では、照射範囲が小さくマーカーのとしての確認は困難であった。さらには、通常のテレビカメラは、フィルムカメラのような未露光時間を持たないので、テレビカメラによる撮影時に、間欠光を情報表示媒体として、使用することができないという問題があった。このために、視認性に優れた照明光を、テレビカメラに映らないようにする技術が切望されていた。
【０００６】
また、通常の照明光では、撮影された映像に影響を及ぼしてしまうため、情報指示媒体としては不適切であった。
【０００７】
一方、生放送等の撮影現場では、出演者に演出からの指示や残り時間などの情報を伝えるために、これまでは、アシスタントディレクターがスケッチブックなどに、その指示や残り時間などを書いて、出演者に見せるなどしていた。
【０００８】
しかしながら、スケッチブックなどによる演出からの情報表示は、出演者がそれを確認するために目線や顔を動かさなければならず、視聴者には不自然に見えてしまうという問題があった。さらには、出演者の視力が悪い場合や出演者と情報の定位置との間の距離が大きい場合には、書かれた文字が読めないこという問題があった。このために、出演者の目線方向に自然に表示すると共に、ハッキリと文字などを表示する方法が切望されていた。
【０００９】
本発明の目的は、テレビカメラに撮影されない照射光を生成することが可能な技術を提供することにある。
【００１０】
本発明の他の目的は、撮影中であってもマーカーの位置を自由に動かしたり、必要な時だけ指示することが可能な技術を提供することにある。
【００１１】
本発明の前記ならびにその他の目的と新規な特徴は、本明細書の記述及び添付図面によって明らかになるであろう。
【００１２】
【課題を解決するための手段】
本願において開示される発明のうち、代表的なものの概要を簡単に説明すれば、下記のとおりである。
【００１３】
（１）撮影時に被写体に照明光を照射する照明装置において、前記撮影は基準同期信号に同期して撮影し、撮影された被写体像の取り込みから次の被写体像の取り込みの間に前記照明光を照射する手段を設けた。
【００１４】
（２）撮影時に被写体に照明光を照射する照明装置において、前記撮影は基準同期信号に同期して撮影し、前記基準同期信号と前記撮影の撮影期間とに基づいて、前記撮影期間を除く期間に照射光を照射する手段を設けた。
【００１５】
（３）前述した（１）もしくは（２）に記載の照明装置において、前記撮影は１フィールド期間を撮影期間と非撮影機間とに分けて行われる。
【００１６】
前述した手段によれば、例えば、ＣＣＤ方式によるテレビカメラのシャッター機能を用いた撮影を行うことにより、テレビカメラに未露光時間を作り出すことができる。従って、テレビカメラまたはスタジオからの基準同期信号を用いて、この基準同期信号に同期した周期で照射する間欠光を作り出し、その間欠光の照射時間と、基準同期信号に対する照射タイミングの制御を行い、テレビカメラの未露光の間だけ照射する照明装置、もしくはテレビカメラの未露光の間だけ透過する照明光の透過装置を用いることによって、テレビカメラには映らない間欠光を作り出すことが可能となる。
【００１７】
そして、このテレビカメラには映らない間欠光そのものは、情報表示媒体として出演者の立ち位置を表示するマーカーとして用いることができる。また、プロジェクターなどの投射光そのものに上記の間欠光を用いる、またはテレビカメラの未露光の間だけプロジェクターの投射光を透過する透過装置を用いてテレビカメラに映らない間欠光にし、プロジェクターに接続したパソコンなどからの情報を出演者の目線方向の壁に照射する。これにより、パソコンなどで即座に打ち込んだ演出からの指示などを、出演者は目線を大きく変えることなく自然に確認することができる。
【００１８】
【発明の実施の形態】
以下、本発明について、発明の実施の形態（実施例）とともに図面を参照して詳細に説明する。
なお、発明の実施の形態を説明するための全図において、同一機能を有するものは同一符号を付け、その繰り返しの説明は省略する。
【００１９】
（実施の形態１）
図１は本発明の実施の形態１の撮影システムの概略構成を説明するための図である。特に、実施の形態１の撮影システムにおける照明装置は、光源の発光を直接制御するものである。ただし、図１において、実施の形態１の撮影用のテレビカメラは、周知のシャッター機構付きのテレビカメラとなるので、詳細な説明は省略する。ただし、後述するように、実施の形態１の撮影システムでは、テレビカメラからのあるいは外部の基準同期信号に基づいて、光源からの照射を制御する構成となっているので、２台以上のテレビカメラを用いる場合には、外部の基準同期信号に連動して全てのテレビカメラが動作するいわゆるエクスターナル動作を行う。また、以下の説明では、実施の形態１の撮影システムを構成する図示しないテレビカメラ及び照明装置は、図示しない周知の外部の基準同期信号に同期して動作する場合について説明する。
【００２０】
図１に示す撮影システムは、図示しない周知のシャッター機構付きのテレビカメラと、外部の基準同期信号を同期して、１０３光源に供給する電力の供給と停止すなわち光源１０３の点灯と消灯とを制御する電圧調光制御部１０１と、電力の供給時すなわち光源１０３の点灯時における電力量を調整して光量を調整する調光部１０２と、調光部１０２からの電力量に応じた光量で発光する光源１０３とから構成される。なお、実施の形態１の撮影システムでは、電圧調光制御部１０１と調光部１０２と光源１０３とによって、照明装置を構成する。
【００２１】
図１に示す撮影システムでは、電圧調光制御部１０１はテレビカメラと同様に外部の基準同期信号を制御の基準として動作している。特に実施の形態１では、電圧調光制御部１０１はテレビカメラと同様に、基準同期信号の１周期すなわち１フィールド（飛越し走査時）期間を基準とし、この１フィールド期間内で１０３光源に供給する電力の供給と停止とを制御する、すなわち光源１０３の間欠光の照射を制御する構成となっている。ただし、後述するように、光源１０３に供給する電力の供給と停止とは、図示しないテレビカメラのシャッタータイミング、すなわち映像の取り込み期間に応じて決定されるものである。
【００２２】
従って、実施の形態１の撮影システムでは、例えば外部の基準同期信号を生成する図示しない生成手段が、接続されるテレビカメラ及び電圧調光制御部１０１にシャッター時間を出力する構成となっている。
【００２３】
次に、図２に本実施の形態１の間欠光の生成原理を説明するための図を示す。以下、図２に基づいて、実施の形態１の撮影システムにおける撮影動作を説明する。ただし、図２の（１）は基準同期信号２０１の入力タイミングを示し、図２の（２）は１フィールド期間の全てを撮影期間２０２のタイミングとする場合を示し、図２の（３）はシャッター機構を用いた場合の撮影期間２０３のタイミングを示し、図２の（４）は１フィールド期間に同期した一般的な間欠光の照射タイミング２０４を示し、図２の（５）は実施の形態１の間欠光の照射タイミング２０５を示す。また、図２は１フレームを２フィールドの画面に分けて毎秒６０フィールドで処理する現行放送方式であるＮＴＳＣ方式の場合を示しているが、図２の原理に従って撮影期間２０３と照射タイミング２０５とを設定することによって、他の方式にも適用可能なことはいうまでもない。
【００２４】
図２の（１）に示すように、実施の形態１の撮影システムでは、１／６０秒毎に基準同期信号２０１が図示しない生成手段により生成され、各テレビカメラ及び電圧調光制御部１０１に供給される。このとき、実施の形態１の撮影システムでは、基準同期信号２０１の出力開始時あるいはシャッター時間の変更がされた時には、生成手段は設定されたシャッター時間をテレビカメラ及び電圧調光制御部１０１に出力する構成となっている。
【００２５】
基準同期信号２０１の入力（の開始）によって、テレビカメラは内部の同期信号を入力される基準同期信号２０１に位相を一致させ、同期結合される。また、テレビカメラは、シャッター時間に基づいて、例えば図２の（２）に示す１フィールド期間の全ての撮影期間２０２を１／２４０秒の撮影期間（１フィールド期間の１／４に相当する期間）２０３に設定する。その結果、図２の（３）に示すように、実施の形態１のテレビカメラは１フィールドの終了側すなわち基準同期信号２０１の発生から３／２４０秒（１フィールド期間の３／４に相当する期間すなわち１フィールド期間から撮影期間２０３を除いた残りの期間）経過した後の１／２４０秒の期間（撮影期間２０３）で撮影を行うこととなる。
【００２６】
一方、電圧調光制御部１０１は基準同期信号２０１に同期してテレビカメラの撮影時間２０３を除く時間で光源１０３に供給する電力の供給と停止を制御することとなる。しかしながら、図２の（４）に示すように、単に同期制御した場合には、テレビカメラによる撮影と、光源１０３からの間欠光の照射タイミング２０４とが重なり、光源１０３からの照射光がテレビカメラに撮影されることとなる場合があった。このために、実施の形態１の撮影システムでは、図２の（５）に示すように、電圧調光制御部１０１は基準同期信号２０１の入力から直ちに光源１０３に電力を供給して照明光の照射を開始し、３／２４０秒の期間（１フィールド期間の３／４に相当する期間すなわち１フィールド期間から撮影期間２０３を除いた残りの期間）の照射タイミング２０５の終了で光源１０３への電力の供給を停止させることによって、照明光の照射を停止させる。このような照射タイミング２０５で間欠光を照射することにより、テレビカメラに撮影される照射光と、実施の形態１の照明装置の光源１０３から照射される照射光（間欠光）とをそれぞれ異なる照射光とすることが可能となる。
【００２７】
このように、実施の形態１の撮影システムでは、テレビカメラのシャッター機能を使用して、１フィールド期間における撮影期間を制限し、残りの時間に光源１０３から照射光を照射することによって、テレビカメラに撮影されない照射光の発生を可能とするものである。
【００２８】
その結果、実施の形態１の照明装置からの照射光をマーカーとすることによって、撮影中であってもマーカーの位置を自由に動かしたり、必要な時だけ指示することが可能となる。ただし、その詳細については、後述の実施の形態において詳述する。
【００２９】
なお、光源１０３に電力を供給してから照射光が照射されるまでの点灯遅れや、電力の供給を遮断してから照射光が停止されるまでの消灯遅れに伴うテレビカメラへの照射光の映り込みを防止する必要がある。このために、実施の形態１の撮影システムでは、光源１０３への電力供給の停止からテレビカメラによる撮影の開始までの期間と、前のフィールドでの撮影の終了から光源１０３への電力供給の開始までの期間との間には、所定の時間間隔を設ける構成となっている。ただし、この時間間隔は、使用する光源１０３の種別や撮影スタジオでのセットの状況等によって変化することとなる。また、基準同期信号２０１に対するテレビカメラのシャッタータイミングは、テレビカメラの機種等によっても変化する。従って、実施の形態１の撮影システムでは、光源１０３の代表的な複数種類及びテレビカメラの機種等に応じた時間を予め設定しておき、撮影現場でその時間を任意に選択させると共に、その時間を任意に変更するためのスイッチ等を設けておくことによって、最適な時間の設定すなわち撮影を行うことを可能としている。
【００３０】
また、実施の形態１の撮影システムでは、テレビカメラは同一機種等に限定されることはないが、少なくとも基準同期信号２０１に対するテレビカメラのシャッタータイミングは同じタイミングであることが好ましい。ただし、現在市販されている撮像素子にＣＣＤを使用するテレビカメラのシャッタータイミングを使用したときの撮影時間については、前述する図２の（３）に示すように、基準同期信号２０１の入力直後はＣＣＤには電荷を蓄えず、次の基準同期信号の入力直前のシャッターで設定された時間のみで電荷を蓄え、その電荷を当該フィールドにおける信号電荷として出力する構成となっている。従って、製造元が異なる複数台のテレビカメラを用いた撮影であっても、同じシャッタータイミングで撮影期間を設定することが可能である。従って、同時に使用するテレビカメラのシャッタースピードを同じ値に設定する、あるいはシャッタースピードの最も遅い値に間欠光の照射タイミング２０５を合わせることによって、容易に全てのテレビカメラに撮影されない照明を行うことが可能である。なお、基準同期信号２０１に対するテレビカメラのシャッタータイミングが異なる特殊なテレビカメラを使用する場合であっても、１フィールド期間内に何れかのテレビカメラも撮影を行っていない期間が確保される場合には、この期間に光源１０３から間欠光を照射することができる。
【００３１】
なお、実施の形態１の撮影システムでは、光源１０３の発光を直接制御する、すなわち光源１０３の点消灯を高速に切り替える必要があるので、レーザー光やストロボ光を光源１０３として用いる場合に特に適するものである。レーザー光を用いる場合、ＴＴＬ信号の制御によって、数マイクロ秒の精度でレーザー光の点消灯が制御できるので特に適するものである。ただし、ストロボ照明を用いる場合であっても、このストロボ光の発光時間（通常、１ミリ秒以下）は非常に短いので、発光タイミングを図示しないテレビカメラの未露光時間すなわち照射タイミング２０５に同期させることによって、適用可能となる。
【００３２】
（実施の形態２）
図３は本発明の実施の形態２の撮影システムの概略構成を説明するための図である。ただし、図３に示す撮影装置は、図示するシャッター制御部３０１、遮光シャッター３０２及び光源３０３からなる照明装置を除く他の構成は、実施の形態１の撮影システムと同様の構成となる。従って、以下の説明では、実施の形態２の撮影システムを構成する実施の形態２の照明装置についてのみ詳細に説明する。
【００３３】
図３に示す実施の形態２の照明装置は、光源３０３の応答性が比較的遅く、１フィールド期間での点消灯の切り替えに適さない光源３０３を用いる間欠光の生成に適する構成である。ただし、実施の形態２の照明装置は、実施の形態１と同様に、撮影システムを構成する図示しない生成手段からの基準同期信号２０１及びテレビカメラのシャッター時間が入力される構成となっている。
【００３４】
また、実施の形態２の照明装置は、図示しない調光部からの信号によって駆動される光源３０３を備えており、光源３０３は前述するように比較的応答性が遅いので撮影期間では常時点灯される構成となっている。この光源３０３の前面すなわち照射面側には、光源３０３から照射される照射光を遮光するための周知の遮光シャッター３０２が備えられている。この遮光シャッター３０２の開閉すなわち照射光の通過と遮光とはシャッター制御部３０１により制御される構成となっている。なお、光源３０３から照射され遮光シャッター３０２に遮蔽された光が漏れ光とならないように、実施の形態２の照明装置では、光源３０３と遮光シャッター３０２との間が図示しない遮光用の筐体に収容される構成となっている。ただし、遮光された照射光が漏れてもよい場合にあるので、遮光用の筐体は必須の構成ではない。
【００３５】
次に、図３に基づいて、実施の形態２の撮影システムの動作を説明する。
実施の形態２の撮影システムにおいても、前述の図２に示すように、シャッター制御部３０１が基準同期信号２０１に同期して１フィールド期間の内で図示しないテレビカメラの撮影時間２０３を除く時間に遮光シャッター３０２を開放することにより、光源３０３からの照射光が遮光シャッター３０２を通過（透過）する構成となっている。ただし、テレビカメラによる撮影と、遮光シャッター３０２を通過した照射光である間欠光の照射タイミング２０４とが重ならないようにするために、シャッター制御部３０１は基準同期信号２０１の入力から直ちに３／２４０秒の期間（１フィールド期間の３／４に相当する期間すなわち１フィールド期間から撮影期間２０３を除いた残りの期間）の照射タイミング２０５で遮光シャッター３０２を開放する構成となっている。このような照射タイミング２０５で間欠光を照射することにより、テレビカメラに撮影される照射光と、実施の形態２の照明装置の光源３０３から遮光シャッター３０２を通過して照射される照射光（間欠光）とをそれぞれ異なる照射光とすることが可能となる。
【００３６】
このように、実施の形態２の撮影システムでは、テレビカメラのシャッター機能を使用して、１フィールド期間における撮影期間を制限し、残りの時間に光源３０３から遮光シャッター３０２を通過した照射光を照射することによって、テレビカメラに撮影されない照射光の発生を可能とするものである。
【００３７】
その結果、実施の形態２の照明装置からの照射光をマーカーとすることによって、撮影中であってもマーカーの位置を自由に動かしたり、必要な時だけ指示することが可能となる。ただし、その詳細については、後述の実施の形態において詳述する。
【００３８】
なお、遮光シャッター３０２としては、例えばスリットを設けた円盤状体を基準同期信号２０１に同期して回転させて光源３０３からの照明光の通過と遮蔽とを制御する方式や、周知の液晶フィルターの透過と遮蔽（拡散）とを基準同期信号２０１に同期して制御する液晶シャッター方式が考えられる。このとき、スリットにより撮影光の通過と遮蔽とを制御する場合のほうが、照射タイミング２０５における光源３０３からの照明光の減衰を防止できる。しかしながら、液晶シャッター方式のように照明光を液晶層に透過させる場合であっても、光源３０３から照射される照明光が液晶層を透過する過程で全て吸収されてしまわない限りは、液晶シャッターでも十分である。ただし、後述する実施の形態４のように、照明光を指示媒体として用いる場合には、拡散してしまう照明光（拡散光）よりも所定の直進性を有する照明光を照射する光源３０３のほうが適している。例えば、輪郭をハッキリと出し文字や図形を描くことが可能となる、ＨＭＩを用いたエリアスポットライトや、ＩＴＯもしくはプロジェクター等も適している。なお、実施の形態２の照射光を指示媒体として用いずに照明光として使用する場合には、光源３０３として拡散光を用いることも可能なことはいうまでもない。また、スリットを設けた円盤状体を用いる場合の撮影期間２０３や照射タイミング２０５の調整は、スリットの開口部分の大きさと円盤状体の回転速度と、あるいは隣接するスリットの間隔等によって調整可能である。
【００３９】
（実施の形態３）
図４は本発明の実施の形態３の撮影システムの概略構成を説明するための図である。ただし、実施の形態３の撮影システムは、前述する実施の形態１の照明装置を２台用いて、二人の出演者のそれぞれに立ち位置を表示する撮影システムである。
【００４０】
実施の形態３の撮影システムは、基準同期信号２０１を生成する図示しない同期信号生成手段と、二人の出演者にそれぞれの立ち位置を指定するマーカー４０３，４０６としての間欠光を基準同期信号２０１に同期結合して照射する第１及び第２の照明装置と、基準同期信号２０１に同期結合して出演者の映像を撮影するテレビカメラ４１０と、このテレビカメラ４１０に撮影される映像を表示する確認用のモニタ４１１とから構成される。なお、実施の形態３の撮影システムでは、前述の構成以外にも、通常のテレビ撮影に用いるスタジオ内の照明用の照明装置や収音装置等を備える。
【００４１】
第１の照明装置４０１は第１の出演者４０８に対応したマーカー４０３を照射し、第２の照明装置４０４は第２の出演者４０９に対応したマーカー４０６を照明する構成となっている。第１の照明装置４０１の前面すなわち照射面側には周知の第１の色フィルタ４０２が配置されており、第１の照明装置４０１から出射された間欠光は、第１の色フィルタ４０２の通過により例えば赤色の間欠光に変換され、床面に赤色のスポット間欠光がマーカー４０３として照射される。また、第２の照明装置４０４の前面には周知の第２の色フィルタ４０５が配置されており、第２の照明装置４０４から出射された間欠光は、第２の色フィルタ４０５の通過により例えば緑色の間欠光に変換され、床面に緑色のスポット間欠光がマーカー４０６として照射される。
【００４２】
テレビカメラ４１０は、基準同期信号２０１に同期して１フィールド期間の内の所定期間で映像を取り込むように制御され、第１及び第２の出演者４０８，４０９を撮影する構成となっている。また、テレビカメラ４１０の出力は図示しない調整室に出力されると共に、テレビカメラ４１０の近傍に配置されるモニタ４１１に映像出力として表示される構成となっている。
【００４３】
次に、図４に基づいて、実施の形態３の撮影システムによる撮影動作を説明する。
実施の形態３の撮影システムにおいても、前述の図２に示すように、テレビカメラ４１０はシャッター機能により、基準同期信号２０１の発生からの照射タイミング２０５の期間の経過後の撮影期間（例えば、１／２４０秒の期間）２０３で撮影を行う。
【００４４】
このとき、第１及び第２の照明装置４０１，４０４は、前述の図２に示すように、基準同期信号２０１に同期して１フィールド期間の内で、テレビカメラ４１０の撮影時間２０３を除く時間である照射タイミング２０５に照射を行うことによって、赤色の第１のマーカー４０３と緑色の第２のマーカー４０６とをスタジオの床面上に照射する。このとき、床面に映像される第１及び第２のマーカー４０３，４０６は、１フィールド期間での点消灯の連続によって映像されることとなるので、第１及び第２の出演者にとっては、目の残像現象によって連続点灯のように知覚されることとなるので、自然なマーカーとして認識される。
【００４５】
一方、テレビカメラ４１０は、第１及び第２の照明装置４０１，４０４が消灯しているタイミング、すなわち第１及び第２のマーカー４０３，４０６が照射されていないタイミングの映像を撮影することとなるので、モニタ４１１の表示面に示すように、テレビカメラ４１０の映像には第１及び第２のマーカー４０３，４０６は撮影されないこととなる。
【００４６】
その結果、実施の形態３の第１及び第２の照明装置４０１，４０４からの照射光をマーカーとすることによって、撮影中であっても第１及び第２のマーカー４０３，４０６の位置を自由に動かしたり、必要な時だけ指示することが可能となる。
【００４７】
特に、実施の形態３の撮影システムでは、出演者毎に異なる色のマーカーをそれぞれ対応させる構成としているので、第１の出演者４０８と第２の出演者４０９とが自身のマーカーすなわち立ち位置を間違えてしまうことを防止できるという格別の効果を得ることも可能である。
【００４８】
また、実施の形態３の撮影システムでは、第２の照明装置４０４は、例えばアシスタントディレクター４０７によって自由にその姿勢が変えられる構成となっているので、音楽などのタイミングに合わせて、第２のマーカー４０６の照射位置を変えて第２の出演者４０９に立ち位置の移動を通知することも可能である。この場合も、テレビカメラ４１０には移動する第２のマーカー４０６が撮影されることはない。
【００４９】
（実施の形態４）
図５は本発明の実施の形態４の撮影システムの概略構成を説明するための図である。ただし、実施の形態４の撮影システムは、前述する実施の形態２の照明装置を用いて、出演者のそれぞれに演出からの指示や残り時間などの情報を伝える撮影システムである。
【００５０】
実施の形態４の撮影システムは、基準同期信号２０１を生成する図示しない同期信号生成手段と、光源３０３及び指示表示器として機能する周知の投光用のプロジェクター５０１と、このプロジェクター５０１の投光面側に配置される周知の液晶シャッター５０２と、プロジェクター５０１の表示を制御する周知の情報処理装置であるパソコン５０３と、二人の出演者５０６，５０７をそれぞれことなく角度から撮影するための二台のテレビカメラ５０８，５１０と、それぞれのテレビカメラ５０８，５１０が撮影している映像を表示するモニタ５０９，５１１とから構成される。なお、実施の形態４の撮影システムでは、実施の形態３の撮影システムと同様に、前述の構成以外にも、通常のテレビ撮影に用いるスタジオ内の照明用の照明装置や収音装置等を備える。
【００５１】
実施の形態４の撮影システムでは、プロジェクター５０１からの投影光は、例えば司会者となる第２の出演者５０７の目線方向に配置される壁５０５に投影させるように配置されている。また、このプロジェクター５０１の前面に配置される液晶シャッター５０２は、図示しないシャッター制御部３０１によって、プロジェクター５０１から照射される指示表示のための情報の投影光を透過あるいは遮蔽（拡散）する構成となっている。このとき、前述の実施の形態２に示すように、基準同期信号２０１に同期してテレビカメラ５０８，５１０の撮影期間２０３の終了の後に、シャッター制御部３０１は液晶シャッター５０２を遮蔽から透過に切り替えることによって、プロジェクター５０１からの投影光を通過させる。
【００５２】
従って、ゲストである第１の出演者５０６の頭上に指示等を投影することができるので、司会者である第２の出演者５０７は目線を大きく動かすことなく指示内容を確認することができる。その結果、背景に壁５０５がある第１の出演者５０６の顔を撮影しているカメラの映像に、プロジェクター５０１からの投影光５０４が映ることなく、また目線方向の指示を見ることにより司会者である第２の出演者５０７は自然に振る舞うことができる。
【００５３】
次に、図５に基づいて、実施の形態４の撮影システムによる撮影動作を説明する。
実施の形態４の撮影システムにおいても、前述の図２に示すように、テレビカメラ５０８，５１０はシャッター機能により、１フィールドの開始すなわち基準同期信号２０１の発生からの撮影期間（例えば、１／２４０秒の期間）２０３で撮影を行う。
【００５４】
このとき、液晶シャッター５０２は、前述の図２に示すように、基準同期信号２０１に同期して１フィールド期間の内で、テレビカメラ５０８，５１０の撮影時間２０３を除く時間である照射タイミング２０５に投影光の透過状態（プロジェクター５０１からの投影光を透過させる状態）に切り替わる。従って、投影光の透過状態の期間では、ゲストである第１の出演者５０６の頭上に指示等が投影されることとなる。このとき、壁５０５に投影される情報５０４は、１フィールド期間での点消灯の連続によって映像されることとなるので、司会者である第２の出演者５０７にとっては、目の残像現象によって連続点灯のように知覚されることとなるので、自然な指示情報として認識される。
【００５５】
一方、２台のテレビカメラ５０８，５１０は、プロジェクター５０１からの投影光が液晶シャッター５０２で遮蔽されているタイミング、すなわち指示情報の投影がされていないタイミングの映像を撮影することとなるので、モニタ５０９，５１１の表示面に示すように、テレビカメラ５０８，５１１の映像には指示情報は撮影されないこととなる。
【００５６】
また、パソコン５０３によるプロジェクター５０１からの即時出力を利用した同時通訳てきな会話も可能である。
【００５７】
（実施の形態５）
図６は本発明の実施の形態５の撮影システムの概略構成を説明するための図である。ただし、実施の形態５の撮影システムは、前述する実施の形態１の照明装置を用いて、暗いシーンでの補助照明を実現する撮影システムである。
【００５８】
実施の形態５の撮影システムは、基準同期信号２０１を生成する図示しない同期信号生成手段と、基準同期信号２０１に同期結合して出演者６０４のいるステージ６０７の近傍を間欠光で照明する第１の照明装置６０１と、基準同期信号２０１に同期結合して出演者６０４の退路を間欠光で照明する第２の照明装置６０２と、基準同期信号２０１に同期結合して出演者６０４の映像を撮影するテレビカメラ６０５と、このテレビカメラ６０５に撮影される映像を表示する確認用のモニタ６０６とから構成される。なお、実施の形態５の撮影システムでも、前述の構成以外にも、通常のテレビ撮影に用いるスタジオ内の照明用の照明装置や収音装置等を備える。ただし、図示しない通常の照明は、演出に基づいて、暗転される。
【００５９】
次に、図６に基づいて、実施の形態５の撮影システムによる撮影動作を説明する。
実施の形態５の撮影システムにおいても、前述の図２に示すように、テレビカメラ６０５はシャッター機能により、基準同期信号２０１の発生からの照射タイミング２０５の期間の経過後の撮影期間（例えば、１／２４０秒の期間）２０３で撮影を行う。
【００６０】
このとき、第１及び第２の照明装置６０１，６０２は、前述の図２に示すように、基準同期信号２０１に同期して１フィールド期間の内で、テレビカメラ６０５の撮影期間２０３を除く期間である照射タイミング２０５に照射を行うことによって、ステージ６０７の近傍及び出演者６０４の退路方向を間欠光で照明する。このとき、第１及び第２の照明装置６０１，６０２から照射される間欠光は、１フィールド期間での点消灯の連続する間欠光となるので、スタジオ内は通常の照明時より暗くなるが、出演者６０４の移動にとっては十分な光量が得られる。
【００６１】
一方、テレビカメラ６０５は、第１及び第２の照明装置６０１，６０２が消灯しているタイミング、すなわち通常の照明装置から照射されていないタイミングの映像を撮影することとなるので、モニタ６０６の表示面に示すように、テレビカメラ６０５の映像には第１及び第２の照明装置６０１，６０２からの間欠光で照らされた出演者６０４は撮影されないこととなり、装飾用の照明６０３のみが撮影され、モニタ６０６に表示される。
【００６２】
その結果、映像上では暗い環境であっても、出演者６０４は明るい環境で移動を行うことが可能となる。従って、出演者６０４の移動も速やかに行うことが可能となる。
【００６３】
また、実施の形態５では、暗時の照明に、テレビカメラ６０５と同期して動作する第１及び第２の照明装置６０１，６０２からの照明光によって、テレビカメラ６０５の非撮影時すなわちテレビカメラの未露光期間ではスタジオ内を明るくする場合について説明したが、これに限定されることはなく、例えば同一の照明装置で撮影時と非撮影時とで照明の照度を切り替える構成としておき、非撮影時のみ照度を明るくすることによって、照明数を増加させることなく、スタジオ内が暗い状態での撮影を行うことができる。
【００６４】
なお、実施の形態１〜５では、カメラとしてテレビカメラの場合について説明したが、これに限定されることはなく、家庭用のビデオカメラ等の他の電子的撮像装置にも適用可能なことはいうまでもない。
【００６５】
また、実施の形態１〜５では、ＣＣＤを撮像素子とするカメラのシャッター機能によって、図２に示すように、１フィールド期間に撮影期間２０３と撮影を行わない未露光期間とを設ける構成としたが、カメラの前面にシャッターと同等の機構を設けることによっても実現可能である。この場合には、カメラの前面に配置したシャッター機構を基準同期信号２０１に同期して制御し、１フィールド期間でテレビカメラに撮影光（映像光）が入射する期間（撮影期間２０３に相当する期間）と、撮影光が入射しない期間（撮影期間２０３を除く期間に相当する期間）とを生成することによって可能となる。ただし、この場合であっても、実施の形態１〜５と同様に、撮影光の光量が不足することとなるので、この不足分を補うための露出補正が必要となることはいうまでもない。カメラの前面に配置するシャッター機構としては、スリットを設けた円盤状体を基準同期信号２０１に同期して回転させて撮影光の通過と遮蔽とを制御する方式や、液晶シャッターの透過と遮蔽とを基準同期信号２０１に同期して制御する方式が考えられるが、スリットにより撮影光の通過と遮蔽とを制御する場合のほうが、撮影光が直接カメラに入射する構成となるので、画質の低下を防止できる。ただし、スリットを設けた円盤状体を用いる場合の撮影期間２０３の調整は、スリットの開口部分の大きさと円盤状体の回転速度と、あるいは隣接するスリットの間隔等によって調整可能である。
【００６６】
また、実施の形態１〜５では、テレビカメラのシャッター時間を１／２４０秒とした場合について説明したが、テレビカメラには１／１００秒、１／１２０秒、１／１２５秒、１／２５０秒、１／５００秒、１／１０００秒等の全てあるいは何れかのシャッター速度を有することが一般的であり、これらのシャッター速度でもよいことはいうまでもない。また、カメラの前面にシャッターと同等の機構を設ける場合には、前述した以外の任意のシャッター時間を設定することも可能となるが、この場合でも適用可能である。さらには、撮影期間２０３よりも照射タイミング２０５で示す期間を小さくすることも可能である。このような光源としては、前述したストロボ光を光源とする場合等がある。
【００６７】
さらには、実施の形態１〜５では、シャッター機能によって１フィールド期間内に撮影期間２０３とそれ以外の期間とを設け、撮影期間２０３を除く期間に照射タイミング２０５を設ける構成としたが、これに限定されることはなく、例えば垂直帰線期間に照射タイミング２０５を設けて照明光の照射や指示表示を行う構成としてもよいことはいうまでもない。このようなシャッター機能を使用しない場合には、１フィールド期間の全てで露光することが可能となるので、露光時（撮影時）のテレビカメラへの入射光量が比較的少ない場合であっても鮮明な画像の撮影を行うことが可能となる。また、シャッター機能を使用しないので、シャッター機能を有していないカメラでも使用可能となる。なお、垂直帰線期間はＮＴＳＣ方式では約１．３ミリ秒となるので、この未露光時間にストロボ照明装置等の発光期間を同期させることによってカメラに撮影されない照明あるいは指示表示ができる。
【００６８】
以上、本発明者によってなされた発明を、前記発明の実施の形態に基づき具体的に説明したが、本発明は、前記発明の実施の形態に限定されるものではなく、その要旨を逸脱しない範囲において種々変更可能であることは勿論である。
【００６９】
【発明の効果】
本願において開示される発明のうち代表的なものによって得られる効果を簡単に説明すれば、下記の通りである。
【００７０】
（１）テレビカメラの未露光時間にのみ照射を行うことによって、この照射光はテレビカメラに撮影されない間欠光を生成することができる。
【００７１】
（２）テレビカメラに撮影されない間欠光による情報表示を行うことができるので、セットとは非接触で位置の指示を行うことができ、撮影中であってもマーカーの位置を自由に動かしたり、必要な時だけ指示することができる。
【００７２】
（３）テレビカメラに撮影されない間欠光による情報表示を行うことができるので、暗いシーンでも、撮影映像に影響を及ぼすことなくセットを明るくすることができ、撮影時の安全性を高めることができる。
【００７３】
（４）テレビカメラに撮影されない間欠光による情報表示を行うことができるので、出演者の視線方向を考慮した情報表示が可能になる。
【図面の簡単な説明】
【図１】本発明の実施の形態１の撮影システムの概略構成を説明するための図である。
【図２】本発明の本実施の形態１の間欠光の生成原理を説明するための図である。
【図３】本発明の実施の形態２の撮影システムの概略構成を説明するための図である。
【図４】本発明の実施の形態３の撮影システムの概略構成を説明するための図である。
【図５】本発明の実施の形態４の撮影システムの概略構成を説明するための図である。
【図６】本発明の実施の形態５の撮影システムの概略構成を説明するための図である。
【符号の説明】
１０１…電圧調光制御部              １０２…調光部
１０３…光源                        ２０１…基準同期信号
２０２…１フィールド分の撮影期間
２０３…シャッター機能を使用した撮影期間
２０４…一般的な間欠光の照射タイミング
２０５…本願発明での間欠光の照射タイミング
３０１…シャッター制御部            ３０２…遮光シャッター
３０３…光源                        ４０１…第１の照明装置
４０２…第１の色フィルタ            ４０３，４０６…マーカー
４０４…第２の照明装置              ４０５…第２の色フィルタ
４０７…アシスタントディレクター    ４０８…第１の出演者
４０９…第２の出演者                ４１０…テレビカメラ
４１１…モニタ                      ５０１…プロジェクター
５０２…液晶シャッター              ５０３…パソコン
５０４…壁に投影される情報          ５０５…壁
５０６…第１の出演者                ５０７…第２の出演者
５０８…第１のテレビカメラ          ５０９，５１１…モニタ
５１０…第２のテレビカメラ          ６０１…第１の照明装置
６０２…第２の照明装置              ６０３…装飾用の照明
６０４…出演者                      ６０５…テレビカメラ
６０６…モニタ
【図１】
0004047554.tif 000002
【図２】
0004047554.tif 000003
【図３】
0004047554.tif 000004
【図４】
0004047554.tif 000005
【図５】
0004047554.tif 000006
【図６】
0004047554.tif 000007